【手続補正書】
【提出日】平成23年1月6日(2011.1.6)
【手続補正１】
【補正対象書類名】特許請求の範囲
【補正対象項目名】全文
【補正方法】変更
【補正の内容】
【特許請求の範囲】
【請求項１】
カラー画像信号の注目画素の近傍領域から孤立点候補を検出するための第１のパラメータ値を算出する１つの孤立点候補検出手段、及び、カラー画像信号を構成する複数の信号を合成して、定義された色空間上の複数の色信号に変換する色空間変換手段を備え、前記変換した色信号の注目画素の近傍領域から孤立点候補を検出するための第２のパラメータ値を算出する少なくとも１つの孤立点候補検出手段を含み、カラー画像信号中の孤立点候補を検出するためのパラメータ値を算出する複数の孤立点候補検出手段と、
前記第１のパラメータ値と、前記少なくとも１つの第２のパラメータ値に基づいて孤立点の程度を判定する孤立点度合判定手段と
を具備したことを特徴とする画像処理装置。
【請求項２】
前記孤立点度合判定手段は、前記複数のパラメータ値のうち、前記第１のパラメータ値が予め定められた閾値以上で、且つ前記第２のパラメータ値の少なくとも１つが予め定められた閾値以上であるとき、注目画素を孤立点と判定することを特徴とする請求項１記載の画像処理装置。
【請求項３】
前記孤立点度合判定手段は、前記複数のパラメータ値を合計し、その大きさにより孤立点の度合いを設定することを特徴とする請求項１記載の画像処理装置。
【請求項４】
前記孤立点度合判定手段は、ある定められた画素の第１のパラメータ値と、前記第２のパラメータ値のうち前記ある定められた画素を用いて生成した前記色信号のパラメータ値とに基づいて孤立点の程度を判定することを特徴とする請求項１記載の画像処理装置。
【請求項５】
前記複数の孤立点候補検出手段の少なくとも１つは、
カラー画像信号を構成する複数の信号を合成して、定義された色空間上の複数の色信号に変換する色空間変換手段を備え、
前記変換した色信号の注目画素の近傍領域から孤立点候補を検出するためのパラメータ値を算出する
ことを特徴とする請求項１記載の画像処理装置。
【請求項６】
前記色空間変換手段は、カラー画像信号を構成する複数の信号を合成して輝度信号と色差信号に変換することを特徴とする請求項５記載の画像処理装置。
【請求項７】
前記少なくとも１つの孤立点候補検出手段が算出するパラメータ値は、前記変換した色信号の注目画素の近傍領域の平均値と注目画素との差であることを特徴とする請求項５記載の画像処理装置。
【請求項８】
前記複数の孤立点候補検出手段の１つは、画像信号の注目画素の近傍領域から孤立点候補を検出するためのパラメータ値を算出することを特徴とする請求項１記載の画像処理装置。
【請求項９】
前記少なくとも１つの孤立点候補検出手段が算出するパラメータ値は、前記画像信号の注目画素の近傍領域の平均値と注目画素との差であることを特徴とする請求項８記載の画像処理装置。
【請求項１０】
前記孤立点候補検出手段が算出するパラメータ値は、ランクオーダーであることを特徴とする請求項１記載の画像処理装置。
【請求項１１】
単板式撮像系から入力したカラー画像信号を処理する画像処理装置において、
前記画像信号から、注目画素自身と注目画素と異なる色の近傍領域から色成分を抽出する色成分抽出手段と、
前記抽出した色成分から孤立点を検出するための第１のパラメータ値を算出する色成分孤立点度合算出手段と、
前記入力した画像信号から、注目画素自身と注目画素と同色の近傍領域から孤立点を検出するための第２のパラメータ値を算出する同色孤立点度合算出手段と、
前記算出した第１及び第２のパラメータ値に応じて孤立点度合を判定する色成分孤立点度合判定手段と
を具備したことを特徴とする画像処理装置。
【請求項１２】
前記単板式撮像系は、Ｒ（赤）、Ｇ（緑）、Ｂ（青）のベイヤー型原色カラーフィルタを固体撮像素子の前面に配置し、
該固体撮像素子の出力した赤色画像信号、緑色画像信号、青色画像信号からなるカラー画像信号を入力する
ことを特徴とする請求項１１記載の画像処理装置。
【請求項１３】
前記色成分抽出手段は、
前記赤色画像信号または青色画像信号を注目画素とし、
注目画素自身、注目画素と隣接する緑色画素、及び隣接する注目画素と異なる青色画素または赤色画素の計３画素から色成分を抽出する
ことを特徴とする請求項１２記載の画像処理装置。
【請求項１４】
前記色成分抽出部手段は、
前記緑色画像信号を注目画素とし、
注目画素自身、注目画素と共に隣接する赤色画素及び青色画素の計３画素から色成分を抽出する
ことを特徴とする請求項１２記載の画像処理装置。
【請求項１５】
前記色成分抽出手段は、
赤色画像信号または青色画像信号を注目画素とし、
注目画素を含む隣接した縦２画素×横２画素の計４画素から色成分を抽出する
ことを特徴とする請求項１２記載の画像処理装置。
【請求項１６】
前記色成分孤立点度合判定手段は、前記第１のパラメータ値と前記第２のパラメータ値が予め定められた閾値以上のとき、注目画素を孤立点と判定することを特徴とする請求項１１記載の画像処理装置。
【請求項１７】
前記色成分孤立点度合判定手段は、前記第１のパラメータ値と第２のパラメータ値との和の大きさにより孤立点の度合いを設定することを特徴とする請求項１１記載の画像処理装置。
【請求項１８】
前記色成分孤立点度合判定部は、前記第１のパラメータ値が予め定められた閾値以上であるとき、前記第２のパラメータ値の大きさにより孤立点の度合いを設定することを特徴とする請求項１１記載の画像処理装置。
【請求項１９】
前記色成分孤立点度合算出手段が算出する第１のパラメータ値はランクオーダーであることを特徴とする請求項１１記載の画像処理装置。
【請求項２０】
前記同色孤立点度合算出手段が算出する第２のパラメータ値はランクオーダーであることを特徴とする請求項１１記載の画像処理装置。
【請求項２１】
カラー画像信号を入力する装置に内蔵されたコンピュータが実行するプログラムにおいて、
カラー画像信号の注目画素の近傍領域から孤立点候補を検出するための第１のパラメータ値を算出する１つの孤立点候補検出ステップ、及び、カラー画像信号を構成する複数の信号を合成して、定義された色空間上の複数の色信号に変換する色空間変換ステップを実行し、前記変換した色信号の注目画素の近傍領域から孤立点候補を検出するための第２のパラメータ値を算出する少なくとも１つの孤立点候補検出ステップを含み、カラー画像信号中の孤立点候補を検出するためのパラメータ値を算出する複数の孤立点候補検出ステップと、
前記第１のパラメータ値と、前記少なくとも１つの第２のパラメータ値に基づいて孤立点の程度を判定する孤立点度合判定ステップと
をコンピュータに実行させることを特徴とする画像処理プログラム。
【請求項２２】
単板式撮像系から入力したカラー画像信号を処理する装置に内蔵されたコンピュータが実行するプログラムであって、
前記画像信号から、注目画素自身と注目画素と異なる色の近傍領域から色成分を抽出する色成分抽出ステップと、
前記抽出した色成分から孤立点を検出するための第１のパラメータ値を算出する色成分孤立点度合算出ステップと、
前記入力した画像信号から、注目画素自身と注目画素と同色の近傍領域から孤立点を検出するための第２のパラメータ値を算出する同色孤立点度合算出ステップと、
前記算出した第１及び第２のパラメータ値に応じて孤立点度合を判定する色成分孤立点度合判定ステップと
をコンピュータに実行させることを特徴とする画像処理プログラム。
【手続補正２】
【補正対象書類名】明細書
【補正対象項目名】０００５
【補正方法】変更
【補正の内容】
【０００５】
本発明の一態様は、カラー画像信号の注目画素の近傍領域から孤立点候補を検出するための第１のパラメータ値を算出する１つの孤立点候補検出手段、及び、カラー画像信号を構成する複数の信号を合成して、定義された色空間上の複数の色信号に変換する色空間変換手段を備え、前記変換した色信号の注目画素の近傍領域から孤立点候補を検出するための第２のパラメータ値を算出する少なくとも１つの孤立点候補検出手段を含み、カラー画像信号中の孤立点候補を検出するためのパラメータ値を算出する複数の孤立点候補検出手段と、前記第１のパラメータ値と、前記少なくとも１つの第２のパラメータ値に基づいて孤立点の程度を判定する孤立点度合判定手段とを具備したことを特徴とする。